(57)【要約】【課題】  大きな衝撃を受けても、また、軽量であっても安定して十分な緩衝効果を得ることができるようにする。【解決手段】  ハードディスクドライブ機構９を構成するスピンドルモータ１２、キャリッジモータ１３、ネジ２２を内蔵する内筐体２と、この内筐体２を内部に収容する外筐体３と、内筐体２の角隅部に設けられた第１の緩衝部材１１、及び内筐体２の表面部にスピンドルモータ１２、キャリッジモータ１３、ネジ２２に位置して設けられた複数の第２の緩衝部材１５，１６、１７を有してなり、内筐体２を外筐体３から離間する状態で支持する緩衝手段とを具備する。【選択図】      図３
2006309895.tif 000002
【特許請求の範囲】
【請求項１】
情報記憶部を構成する複数の硬質部品を内蔵する第１の筐体と、
この第１の筐体を内部に収容する第２の筐体と、
前記第１の筐体の角隅部に設けられた第１の緩衝部材、及び前記第１の筐体の表面部に前記硬質部品に位置して設けられた複数の第２の緩衝部材を有してなり、前記第１の筐体を第２の筐体から離間する状態で支持する緩衝手段と
を具備することを特徴とする情報記憶装置。
【請求項２】
前記硬質部品は、ハードディスクを回転駆動する第１の駆動モータ、及び前記ハードディスクに対して情報処理を施すための情報処理ヘッドを動作させる第２の駆動モータ、さらに、内蔵部品を固定する固定部材であることを特徴とする請求項１記載の情報記憶装置。
【請求項３】
前記複数の第２の緩衝部材は前記複数の硬質部品に個別に貼り付けられたことを特徴とする請求項１記載の情報記憶媒体。
【請求項４】
前記複数の第２の緩衝部材は連結材を介して一体化されたことを特徴とする請求項１記載の情報記憶媒体。
【請求項５】
前記連結材は合成樹脂材であることを特徴とする請求項４記載の情報記憶媒体。
【請求項６】
前記連結材は緩衝材であることを特徴とする請求項４記載の情報記憶媒体。
【請求項７】
前記複数の第２の緩衝部材は突起状に形成されたことを特徴とする請求項１記載の情報記憶媒体。
【発明の詳細な説明】
【技術分野】
【０００１】
本発明は、例えば、パーソナルコンピュータ等の情報処理装置に着脱可能に取り付けられる情報記憶装置に関する。
【背景技術】
【０００２】
この種の情報記憶装置、例えば、ハードディスクのドライブ装置（以下、ＨＤＤという）は、パーソナルコンピュータ等の情報処理装置に内蔵され、データやプログラムの書き込み、或いは、記録されているデータの等の読み込みを行なう記録再生装置として重要な役割を果たしている。
【０００３】
ところで、このＨＤＤは、情報処理装置等の本体に内蔵されるばかりでなく、情報処理装置本体に対して着脱自在とされる、いわゆるデタッチャブルの拡張機器としての用途も検討されている。
【０００４】
このＨＤＤは、必要に応じて情報処理装置本体から取り外され、ＨＤＤ単体で携帯されたり、情報処理装置本体とは別個に保管されたり、他の電子機器で利用されたりする。さらには、携帯用機器に装着されて使用される。
【０００５】
そして、このようなＨＤＤとしては、可搬性をもたせるように、そのドライブ機構部を筺体内に収納してカートリッジ化したものが提案されている。
【０００６】
このようなカートリッジ形式のＨＤＤにおいては、上述したような携帯等の際に、誤って落下させてしまうと、この落下時の衝撃によりデータや媒体を損傷させる虞がある。
【０００７】
そこで、従来においては、ＨＤＤの筐体を外筐体内に収納するとともに、ＨＤＤの筐体と外筐体との内に緩衝材を設けることにより衝撃を吸収するようにしている。（例えば特許文献１参照）。
【特許文献１】特開２００４−１２７４３８公報
【発明の開示】
【発明が解決しようとする課題】
【０００８】
しかしながら、従来においては、ＨＤＤの筐体の角隅部や、側面部のみに緩衝材を設けるだけであったため、十分な緩衝効果を得ることができず、データや媒体の損傷を確実に防止することができず、また、大きな衝撃を受けると、筐体に歪が発生したり、緩衝材が不安定になるという問題があった。
【０００９】
なお、緩衝材としては、柔らかくて、厚いものを用いることにより、緩衝効果を高めることが可能になるが、この場合には、ＨＤＤの筐体と外筐体との間のクリアランスを大きくしなければならず、大型化してしまう。近時においては、小型化が求められており、ＨＤＤの筐体と外筐体との間のクリアランスを大きくすることができず、緩衝材は薄くて硬いものとなっている。緩衝材が硬くなると変位しずらく、特に、ＨＤＤが軽量な場合には、緩衝材が変位しずらく、必要な緩衝効果が得られなくなる。
【００１０】
また、ＨＤＤの筐体の角隅部や、側面部のみならず、筐体の上面部にも緩衝材を設けることにより緩衝効果を高めることが考えられるが、筐体の上面部は強度的に弱い部位も多く、このような部位に緩衝材を設けた場合には、大きな衝撃が加わると、筐体に歪が発生してしまう虞がある。
【００１１】
また、ＨＤＤの筐体の全面を緩衝材で覆うことも考えられるが、この場合には、緩衝材を分散して配置した場合と比較して変位しずらくなり、特に、ＨＤＤが軽量な場合には、十分な緩衝効果を得ることができない。
【００１２】
本発明は上記事情に着目してなされたもので、その目的とするところは、大きな衝撃を受けても、また、軽量であっても安定して十分な緩衝効果を得ることができるようにした情報記憶装置を提供するものである。
【課題を解決するための手段】
【００１３】
上記課題を解決するため、請求項１記載のものは、情報記憶部を構成する複数の硬質部品を内蔵する第１の筐体と、この第１の筐体を内部に収容する第２の筐体と、前記第１の筐体の角隅部に設けられた第１の緩衝部材、及び前記第１の筐体の表面部に前記硬質部品に位置して設けられた複数の第２の緩衝部材を有してなり、前記第１の筐体を第２の筐体から離間する状態で支持する緩衝手段とを具備することを特徴とする。
【発明の効果】
【００１４】
本発明によれば、大きな衝撃を受けても、また、軽量であっても安定して十分な緩衝効果を得ることができる。
【発明を実施するための最良の形態】
【００１５】
以下、本発明を図面に示す実施の形態を参照して詳細に説明する。  
図１は、本発明の一実施の形態である内筐体（第１の筐体）２を示す斜視図である。
【００１６】
この内筐体２の内部には、後で詳しく述べる情報記憶部を構成するハードディスク駆動機構部が収納されている。
【００１７】
内筐体２は図２に示すように第２の筺体としての外筺体３内に収納されてカートリッジ式の情報記憶装置１が構成されている。
【００１８】
この情報記憶装置１は、容量拡張用の拡張機器として、又は大量の画像、映像等のデータやプログラムを記録する記録媒体として、パーソナルコンピュータやビデオカメラ等に対して、ケーブル等を介さずに、図示しないコネクタにより直接、着脱自在に接続されるものである。
【００１９】
内筐体２の四角隅部には、キャップ状の緩衝部材（第１の緩衝部材）１１が配置され、内筐体２は緩衝部材１１を介して外筐体３内に支持される。
【００２０】
内筐体２は、図３に示すようにシャーシ４Ａとトップカバー４Ｂとからなり、これらシャーシ４Ａとトップカバー４Ｂとの間の構成される空間内にはハードディスク駆動機構部９が収納されている。
【００２１】
ハードディスク駆動機構部９は、回転スピンドル５に装着された磁気ディスク６と、この磁気ディスク６に対して情報の記録・再生を行う情報処理ヘッドとしての磁気ヘッド７と、この磁気ヘッド７を一端側に支持するヘッドアーム８とを有している。
【００２２】
また、シャーシ４Ａの裏面側には、上述した各部品の駆動制御や磁気ディスク６への記録・再生を制御する電子回路が搭載された配線基板１０がネジ２０により取り付けられ、さらに内蔵部品としてのフィルタ２１が硬質部品としてのネジ２２によって取り付けられている。配線基板１０には、回転スピンドル５を回転させる硬質部品としてのスピンドルモータ（第１の駆動モータ）１２、ヘッドアーム８を回動させるための硬質部品としてのキャリッジモータ（第２の駆動モータ）１３が取り付けられている。そして、配線基板１０には、磁気ヘッド７に対する記録・再生信号の入出力用、スピンドルモータ１２及びキャリッジモータ１３等に対する駆動電源接続用のコネクタピン（図示しない）が、シャーシ４Ａの一側面に位置して取り付けられている。
【００２３】
ところで、この実施の形態においては、内筐体２を構成するシャーシ４Ａの表面側には、複数の突起状をなす緩衝部材（第２の緩衝部材）１５，１６，１７が配設されている。これら緩衝部材１５，１６，１７は、例えば、ゴム材によって成形されている。なお、緩衝部材１５，１６，１７の突起形状としては、山形、三角錐、半球型などが考えられる。
【００２４】
緩衝部材１５は、スピンドルモータ１２の基板表面部に位置して貼り付けられ、緩衝部材１６は、キャリッジモータ１３の基板表面部に位置して貼り付けられ、緩衝部材１７は、固定ネジ２２の頭部に位置して貼り付けられている。
【００２５】
即ち、内筐体２は、外筐体３内に緩衝部材（第１の緩衝部材）１１によって支持されるとともに、複数の緩衝部材（第２の緩衝部材）１５，１６，１７によっても支持された状態で収納されている。
【００２６】
従って、情報記憶装置１の携帯中において、情報記憶装置１を誤って落下させた場合などに外筐体３から内筐体２に向かって作用する衝撃は、緩衝部材１１によって吸収されることは勿論のこと、複数の緩衝部材１５，１６，１７によっても吸収されることになり、情報記憶装置１の故障などを確実に防止することができる。
【００２７】
また、複数の緩衝部材１５，１６，１７は、内筐体２内の硬質部品（スピンドルモータ１２、キャリッジモータ１３、固定ネジ２２）に位置して貼り付けられるため、緩衝部材１５，１６，１７を介して伝達される衝撃は硬質部品で受けることができ、内筐体２を破損させる虞もない。
【００２８】
さらに、複数の緩衝部材１５，１６，１７によって衝撃を受けるため、内筐体２を全面的に緩衝材で覆った場合と比較して緩衝部材１５，１６，１７が変位し易く、特に、内筐体２が軽量な場合であっても、衝撃を良好に吸収できる。
【００２９】
また、複数の緩衝部材１５，１６，１７は、突起状に形成されるため、衝撃に対し、より一層変形し易く、良好な吸収が可能になる。
【００３０】
図４は緩衝材の他の取付構造を示す側面図である。
【００３１】
上記した第１の実施の形態では、緩衝材１５〜１７をそれぞれ個別に直接、内筐体２の硬質部品に位置して貼り付けたが、図４で示すものでは、複数の緩衝部材３１〜３６をＰＥＴ等の薄いシート３７上に貼り付けて一体化したものを内筐体２に取り付けている。
【００３２】
図５は緩衝材のさらに他の取付構造を示す側面図である。
【００３３】
この図５に示すものでは、複数の緩衝部材３１〜３６を薄い緩衝材３８によって一体化して内筐体２に取り付けている。
【００３４】
なお、この発明は、上述した実施の形態そのままに限定されるものではなく、実施段階ではその要旨を逸脱しない範囲で構成要素を変形して具体化できる。
【００３５】
また、上述した実施の形態に開示されている複数の構成要素の適宜な組み合わせにより種々の発明を形成できる。例えば、上述した実施の形態に示される全構成要素から幾つかの構成要素を削除しても良い。更に、異なる実施の形態に亘る構成要素を適宜組み合わせても良い。
【図面の簡単な説明】
【００３６】
【図１】本発明の一実施の形態であるディスクドライブ機構部を収納する内筐体を示す斜視図。
【図２】同内筐体が外筐体内に収納された状態を示す平面図。
【図３】同内筐体に収納されるディスクドライブ機構の構成を示す側面図。
【図４】同緩衝材の他の取付構造を示す図。
【図５】同緩衝材のさらに他の取付構造を示す図。
【符号の説明】
【００３７】
２…内筐体（第１の筐体）、３…外筐体（第２の筐体）、６…ハードディスク、７…磁気ヘッド（情報処理ヘッド）、９…ハードディスクドライブ機構（情報記憶部）、１１…第１の緩衝部材（緩衝手段）、１２…スピンドルモータ（第１の駆動モータ／硬質部品）、１５，１６，１７…第２の緩衝部材（緩衝手段）、１３…キャリッジモータ（第２の駆動モータ／硬質部品）、２２…ネジ（固定部材／硬質部品）、３７…シート材、３８…緩衝材（連結材）。
【図１】
2006309895.tif 000003
【図２】
2006309895.tif 000004
【図３】
2006309895.tif 000005
【図４】
2006309895.tif 000006
【図５】
2006309895.tif 000007